(57)【要約】  【課題】異なった入力源からの映像入力信号を受け、そのうちの１つの入力を選択してスクリーンへ投射するプロジェクタにおいて、入力源の切替えが迅速かつ正確に行え、数段階前の映像へ切替える操作を行う場合に、操作者が入力切替スイッチと映像内容との対応関係を把握していなくても、入力切替スイッチを正確に操作できる。  【解決手段】筐体２の背面に異なった入力源からの映像入力ケーブルに対応する６個の接続端子Ｔ１〜Ｔ６を備え、筐体２の上面に、これら６個の接続端子それぞれに接近させて、各接続端子に接続した映像入力ケーブルからの入力を選択する入力切替スイッチＳＷ１〜ＳＷ６を備える。各入力切替スイッチの操作面に、当該スイッチが操作されたことを示す各３個のＬＥＤランプＬｂ、Ｌｙ、Ｌｇを備える。各ＬＥＤランプは発光色が異なり、操作順に対応付けて点灯され、現在接続されている入力源及び過去の操作スイッチを表示する。【選択図】  図１
2006259453.tif 000002
【特許請求の範囲】
【請求項１】
異なった入力源からの複数本の映像入力ケーブルに対応する複数の接続端子を有し、これら接続端子に接続した映像入力ケーブルからの入力のうちの１つを、内部の映像処理回路へと択一的に接続制御する制御部を備えたプロジェクタにおいて、
前記複数の接続端子それぞれの近傍に、当該接続端子に接続した映像入力ケーブルからの入力を選択して前記映像処理回路に接続するための入力切替スイッチを備えると共に、前記入力切替スイッチの操作面に、当該入力切替スイッチが操作されることによって点灯する複数のＬＥＤランプを備え、
前記複数のＬＥＤランプは、操作履歴を示す異なった発光色を有し、
前記制御部には、直近に操作された入力切替スイッチと、過去に操作された入力切替スイッチを操作時点の順に記憶する操作履歴テーブルと、
前記入力切替スイッチが操作されるごとに、前記操作履歴テーブルを更新する更新手段と、
前記更新手段によって更新された時に、前記操作履歴テーブルに基づいて前記複数のＬＥＤランプを点灯する点灯制御手段と、
前記点灯制御手段によって点灯される前記ＬＥＤランプの点灯態様を、当該ＬＥＤランプが備えられた入力切替スイッチ近傍の映像入力ケーブルに、入力がある場合には連続して点灯し、入力がない場合には点滅させる点灯態様制御手段とを備えたことを特徴とするプロジェクタ。
【請求項２】
異なった入力源からの複数本の映像入力ケーブルに対応する複数の接続端子を有し、これら接続端子に接続した映像入力ケーブルからの入力のうちの１つを、内部の映像処理回路へと択一的に接続制御するプロジェクタにおいて、
前記複数の接続端子それぞれの近傍に、当該接続端子に接続した映像入力ケーブルからの入力を選択して前記映像処理回路に接続するための入力切替スイッチを備えると共に、前記各入力切替スイッチの操作面に、当該入力切替スイッチが操作されることによって点灯するランプを備えたことを特徴とするプロジェクタ。
【請求項３】
前記入力切替スイッチの操作面に備えられるランプが複数のランプであって、直近に操作された入力切替スイッチと、過去に操作された入力切替スイッチとで、各入力切替スイッチの操作面上の異なった位置のランプを点灯することにより操作履歴を表示させることを特徴とする請求項２に記載のプロジェクタ。
【請求項４】
前記複数のランプは、操作履歴を示す異なった発光色を有することを特徴とする請求項３に記載のプロジェクタ。
【請求項５】
前記複数のランプは、それらランプ面又はその側傍に操作履歴を示す数字が付されていることを特徴とする請求項３に記載のプロジェクタ。
【請求項６】
前記入力切替スイッチの操作面に備えられるランプが数字表示式の液晶パネルであって、各入力切替スイッチの操作履歴を示す昇順又は降順の数字を表示することを特徴とする請求項２に記載のプロジェクタ。
【発明の詳細な説明】
【技術分野】
【０００１】
本発明は、プロジェクタに関し、詳しくは異なった入力源からの複数本の映像入力ケーブルを接続でき、そのうちの１つの入力を選択してスクリーンへ映像として投射するプロジェクタに関する。
【背景技術】
【０００２】
パソコン、ディスクプレーヤ、ビデオテープレコーダ、テレビジョン受信機等の異なった入力源からの映像入力を受け、それらの映像入力のうちの１つを選択して前方のスクリーンへ投射するプロジェクタがある。複数の入力源から１つの入力を選択する操作は、スクリーン上に投射される入力源の表示に、操作者がリモコンを用いてカーソルを合わせ、所望の入力源において決定キーを押すこと等によってなされる。
【０００３】
一方、複数の入力端子を備えた電子機器において、信号線が接続された端子を表示器に表示させ、ユーザが信号線の接続がなされた端子を容易に判別できるようにし、さらにユーザがその表示器を参照して選択した時に、設定された入力端子の表示が一時色変わりして表示器に表示されるようにした技術がある（例えば、特許文献１参照）。
【０００４】
また、複数の外部入力が接続できるテレビジョン受信機において、映像信号のない外部入力を選択してしまわないように、複数の外部入力の接続状況をオンスクリーン表示し、各入力の映像信号の有無を表示色を変えることによって表示する技術が知られている（例えば、特許文献２参照）。
【０００５】
【特許文献１】特開平１０−２３３０５５号公報
【特許文献２】特開平１０−３０４２６０号公報
【発明の開示】
【発明が解決しようとする課題】
【０００６】
プロジェクタに接続可能な映像入力源は、パソコン等の電子機器及びディスクプレーヤ等の映像機器の発達によって多種多様になってきており、それに伴ってプロジェクタに備えられるそれら入力源との接続端子数が増加してきている。さらに、プロジェクタを用いた実際のプレゼンテーションの場では、上述の多様な入力源を駆使した使用形態が求められてきている。つまり、例えば、プレゼンテーションの開始時には、パソコンからの静止画入力をスクリーンに表示し、詳細な説明に入ると、ディスクプレーヤからの動画映像に切替え、さらに適宜のタイミングで他の入力源からの映像に切替え、最後に再びパソコンからの静止画映像に戻る等の操作が求められる。
【０００７】
上述のような使用態様を円滑に進めるためには、入力源の切替えが迅速かつ正確にできなければならないが、従来のようにオンスクリーンの表示に基づいて操作するのでは迅速さに欠け、多様な入力源を切替えて投射できるプロジェクタの特徴を活かしきれない。また、上述のように多数回に亘って入力源を切替える使用態様では、操作者がスクリーンに投射された映像の種類、内容と、入力源との対応関係を正確に把握していなければ、正確で迅速な映像の切替えができない。つまり、例えば、上述の例であれば、プレゼンテーションの最後にパソコンからの静止画映像に戻る時に、時間が経っていることから、切替えるべき入力源を間違えてしまうとか、プレゼンテーションの途中で聴講者からの要求に応じるために、数段階前の映像に戻す必要が生じた場合に、その入力源が直ぐには特定できないといったトラブルが起きる可能性がある。
【０００８】
そこで、本発明は、複数本の映像入力ケーブルが接続されたプロジェクタにおいて、入力源の切替えが迅速かつ正確に行え、上述のような入力源を多数回に亘って切替える使用態様の場合に、操作者が過去に切替えた入力源と映像の内容との対応関係を厳密に把握していなくても、切替えるべき入力源を間違えることなく正確に操作できるプロジェクタを提供することを目的とする。
【課題を解決するための手段】
【０００９】
上記目的を達成するために、請求項１の発明は、異なった入力源からの複数本の映像入力ケーブルに対応する複数の接続端子を有し、これら接続端子に接続した映像入力ケーブルからの入力のうちの１つを、内部の映像処理回路へと択一的に接続制御する制御部を備えたプロジェクタにおいて、前記複数の接続端子それぞれの近傍に、当該接続端子に接続した映像入力ケーブルからの入力を選択して前記映像処理回路に接続するための入力切替スイッチを備えると共に、前記入力切替スイッチの操作面に、当該入力切替スイッチが操作されることによって点灯する複数のＬＥＤランプを備え、前記複数のＬＥＤランプは、操作履歴を示す異なった発光色を有し、前記制御部には、直近に操作された入力切替スイッチと、過去に操作された入力切替スイッチを操作時点の順に記憶する操作履歴テーブルと、前記入力切替スイッチが操作されるごとに、前記操作履歴テーブルを更新する更新手段と、前記更新手段によって更新された時に、前記操作履歴テーブルに基づいて前記複数のＬＥＤランプを点灯する点灯制御手段と、前記点灯制御手段によって点灯される前記ＬＥＤランプの点灯態様を、当該ＬＥＤランプが備えられた入力切替スイッチ近傍の映像入力ケーブルに、入力がある場合には連続して点灯し、入力がない場合には点滅させる点灯態様制御手段とを備えたことを特徴とする。
【００１０】
請求項２の発明は、異なった入力源からの複数本の映像入力ケーブルに対応する複数の接続端子を有し、これら接続端子に接続した映像入力ケーブルからの入力のうちの１つを、内部の映像処理回路へと択一的に接続制御するプロジェクタにおいて、前記複数の接続端子それぞれの近傍に、当該接続端子に接続した映像入力ケーブルからの入力を選択して前記映像処理回路に接続するための入力切替スイッチを備えると共に、前記各入力切替スイッチの操作面に、当該入力切替スイッチが操作されることによって点灯するランプを備えたことを特徴とする。
【００１１】
請求項３の発明は、請求項２の発明において、前記入力切替スイッチの操作面に備えられるランプが複数のランプであって、直近に操作された入力切替スイッチと、過去に操作された入力切替スイッチとで、各入力切替スイッチの操作面上の異なった位置のランプを点灯することにより操作履歴を表示させることを特徴とする。
【００１２】
請求項４の発明は、請求項３の発明において、前記複数のランプは、操作履歴を示す異なった発光色を有することを特徴とする。
【００１３】
請求項５の発明は、請求項３の発明において、前記複数のランプは、それらランプ面又はその側傍に操作履歴を示す数字が付されていることを特徴とする。
【００１４】
請求項６の発明は、請求項２の発明において、前記入力切替スイッチの操作面に備えられるランプが数字表示式の液晶パネルであって、各入力切替スイッチの操作履歴を示す昇順又は降順の数字を表示することを特徴とする。
【発明の効果】
【００１５】
請求項１及び請求項３乃至請求項６の発明によれば、複数本の映像入力ケーブルが接続されたプロジェクタにおいて、入力源の切替えを迅速かつ正確に行うことができ、接続した複数の入力源を多数回に亘って切替える使用態様の場合に、操作者が過去に切替えた入力源と映像の内容との対応関係を厳密に把握していなくても、切替えるべき入力源を間違えることなく正確に操作できる。
【００１６】
請求項２の発明によれば、複数本の映像入力ケーブルが接続されたプロジェクタにおいて、入力源の切替えを迅速かつ正確に行うことができる。
【発明を実施するための最良の形態】
【００１７】
以下、本発明の実施形態に係るプロジェクタについて図面を参照して説明する。本実施形態のプロジェクタ１は、図１にその外観を示すように、直方形の筐体２を有し、前方に映像投射口３を備え、背面に異なった入力源からの映像入力ケーブルに対応する６個の接続端子Ｔ１〜Ｔ６を備えている。接続端子Ｔ１〜Ｔ６は、図示の左側から順に、パソコンからのデジタルデータの入力端子Ｔ１、パソコンからのアナログデータの入力端子Ｔ２、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）入力端子Ｔ３、ＵＳＢ（Ｕｎｉｖｅｒｓａｌ  Ｓｅｒｉａｌ  Ｂｕｓ）入力端子Ｔ４、ビデオテーププレーヤ等からのＳ入力端子Ｔ５及びコンポジット入力端子Ｔ６である。
【００１８】
上記プロジェクタ１は、筐体２の上面における、接続端子Ｔ１〜Ｔ６それぞれの近傍位置に、各接続端子に接続した映像入力ケーブルからの入力を選択するための入力切替スイッチＳＷ１〜ＳＷ６を有している。また、各入力切替スイッチＳＷ１〜ＳＷ６の操作面には、当該スイッチが操作されたことを示すための、それぞれ３個のＬＥＤランプＬｂ、Ｌｙ、Ｌｇが設けられている。また、３個のＬＥＤランプＬｂ、Ｌｙ、Ｌｇは、それぞれ発光色が異なっており、本実施形態では、筐体上面の中央に近い方から順に青、黄、緑の発光色に設定してある。操作者が任意の入力切替スイッチＳＷ１〜ＳＷ６を押下すると、その入力切替スイッチＳＷ１〜ＳＷ６近傍の接続端子Ｔ１〜Ｔ６に接続された映像入力ケーブルからの入力が選択されて内部の映像処理回路（後述）へと入力され、同時に当該入力切替スイッチＳＷ１〜ＳＷ６のＬＥＤランプＬｂ、Ｌｙ、Ｌｇが点灯される。各３個のＬＥＤランプＬｂ、Ｌｙ、Ｌｇのうち、どの位置のＬＥＤランプが点灯するか（つまり、青、黄、緑のどのＬＥＤランプが点灯するか）によって、当該入力切替スイッチＳＷ１〜ＳＷ６の過去の操作順が示されるようになっている。これについては後に詳述する。
【００１９】
次に、上記プロジェクタ１の主に入力切替スイッチＳＷ１〜ＳＷ６部分の電気的構成について、図２を参照して説明する。６個の接続端子Ｔ１〜Ｔ６に接続された映像信号入力ｖ１〜ｖ６は、それぞれ入力切替スイッチＳＷ１〜ＳＷ６を介してマイクロコンピュータからなる制御部４に接続されると共に、ＡＤ変換器、ビデオデコーダ等の入力処理回路と入力処理回路からの映像信号をさらに後段の光学系に送るための信号処理回路からなる映像処理回路５に接続される。制御部４は、６本の映像信号入力ｖ１〜ｖ６のうち、一番最近に操作された入力切替スイッチＳＷ１〜ＳＷ６に対応する映像信号入力ｖ１〜ｖ６のみを映像処理回路５に接続する。また、制御部４内には操作履歴テーブルを備えており、次に説明する手順で、操作された入力切替スイッチＳＷ１〜ＳＷ６のいずれかのＬＥＤランプＬｂ、Ｌｙ、Ｌｇを点灯する。なお、図２におけるＬＥＤランプＬｂ、Ｌｙ、Ｌｇは、図面の煩雑を避けるために各入力切替スイッチＳＷ１〜ＳＷ６について１個のみ示す。
【００２０】
制御部４内のＲＡＭに設けられた操作履歴テーブル６は、図３に示すように、現在の入力源７、１つ前の操作時における入力源８、及び２つ前の操作時における入力源９を記憶するテーブルであって、具体的な入力源の特定は入力切替スイッチＳＷ１〜ＳＷ６の番号で行う。つまり、６個の入力切替スイッチＳＷ１〜ＳＷ６に対して、それぞれ＃１から＃６までの番号が付与され、この番号を記憶することによって、現在映像処理回路５に接続されている入力源、及び過去に映像処理回路５に接続された入力源を記憶できる。
【００２１】
次に、制御部４によって制御されるＬＥＤランプＬｂ、Ｌｙ、Ｌｇの点灯手順について、図４を参照して説明する。操作者によって任意の入力切替スイッチＳＷ１〜ＳＷ６が押下されると（Ｓ１においてＹＥＳ）、制御部４は、操作履歴テーブル６の記憶内容を更新し（Ｓ２）、更新された操作履歴テーブル６に基づいてＬＥＤランプＬｂ、Ｌｙ、Ｌｇを点灯する（Ｓ３）。つまり、操作履歴テーブル６の記憶内容が、図３に示すように、現在の入力源：＃２、１つ前の操作時の入力源：＃５、２つ前の操作時の入力源：＃３であったとして、直近に入力切替スイッチＳＷ６が操作されたとすると、操作履歴テーブル６の記憶内容は、現在の入力源：＃６、１つ前の操作時の入力源：＃２、２つ前の操作時の入力源：＃５へと更新される。
【００２２】
そして、この操作履歴テーブル６の、現在の入力源７、１つ前の操作時の入力源８、及び２つ前の操作時の入力源９が、各３個のＬＥＤランプ（青、黄、緑）Ｌｂ、Ｌｙ、Ｌｇに対応付けてあり、図３に示す例であれば、現在の入力源：＃２、１つ前の操作時の入力源：＃５、２つ前の操作時の入力源：＃３であるので、入力切替スイッチＳＷ２の青色のＬＥＤランプＬｂと、入力切替スイッチＳＷ５の黄色のＬＥＤランプＬｙと、入力切替スイッチＳＷ３の緑色のＬＥＤランプＬｇが点灯する。つまり、各入力切替スイッチＳＷ１〜ＳＷ６の過去の操作順が、青、黄、緑の順で表示されることになり、操作者は、現在接続されている入力源と２回前までの操作（どの入力切替スイッチを押したか）について、容易に把握することができる。
【００２３】
また、上記手順で点灯された各ＬＥＤランプＬｂ、Ｌｙ、Ｌｇは、制御部４による次の判断手順によって点灯から点滅へと、その点灯態様を変更される。つまり、図５にそのフローチャートを示したように、点灯したＬＥＤランプに対応した入力切替スイッチＳＷ１〜ＳＷ６近傍の接続端子Ｔ１〜Ｔ６に映像信号入力がある場合（Ｓ１１においてＹＥＳ）は、そのＬＥＤランプの点灯を継続する（Ｓ１２）が、映像信号入力がない場合（Ｓ１１においてＮＯ）は、点滅へと切替える（Ｓ１３）。これによって、いずれかのＬＥＤランプＬｂ、Ｌｙ、Ｌｇが点滅していれば、操作者は、そのＬＥＤランプ近傍の接続端子Ｔ１〜Ｔ６には、（例えば、入力源であるパソコンが立ち上がっていない、ディスクプレーヤであればディスクが装着されていない等の理由により）入力信号が到来していないことが分かり、映像信号のない入力源に切替えてしまう不具合を防止することができる。
【００２４】
次に、各入力切替スイッチＳＷ１〜ＳＷ６の操作順と、各ＬＥＤランプＬｂ、Ｌｙ、Ｌｇの点灯の態様について、図６を参照して具体的に説明する。まず、操作者が、入力切替スイッチＳＷ３を選択して押下したとすると、操作履歴テーブル６の現在の入力源７に＃３が記憶され、入力切替スイッチＳＷ３の青色のＬＥＤランプＬｂが点灯すると共に、入力切替スイッチＳＷ３近傍の接続端子Ｔ３に接続された映像入力ケーブルからの入力ｖ３（ＨＤＭＩ入力）が映像処理回路５に接続される（図６（ａ））。この時、操作履歴テーブル６内の１つ前の操作時の入力源８と２つ前の操作時の入力源９には何も記憶されない。
【００２５】
次に、操作者が、入力切替スイッチＳＷ５を押下したとすると、操作履歴テーブル６の現在の入力源７に＃５が上書きして記憶され、入力切替スイッチＳＷ５の青色のＬＥＤランプＬｂが点灯すると共に、入力切替スイッチＳＷ５近傍の接続端子Ｔ５に接続された映像入力ケーブルからの入力ｖ５（Ｓ端子入力）が映像処理回路５に接続される。操作履歴テーブル６の１つ前の操作時の入力源８には＃３が記憶されるので、入力切替スイッチＳＷ３の黄色のＬＥＤランプＬｙが点灯する（図６（ｂ））。
【００２６】
次に、操作者が、入力切替スイッチＳＷ２を押下したとすると、操作履歴テーブル６の現在の入力源７に＃２が上書きして記憶され、入力切替スイッチＳＷ２の青色のＬＥＤランプＬｂが点灯すると共に、入力切替スイッチＳＷ２近傍の接続端子Ｔ２に接続された映像入力ケーブルからの入力ｖ２（パソコンからのアナログ入力）が映像処理回路５に接続される。操作履歴テーブル６の１つ前の操作時の入力源８には＃５が上書きして記憶されるので、入力切替スイッチＳＷ５の黄色のＬＥＤランプＬｙが点灯し、２つ前の操作時の入力源９には＃３が記憶されるので、入力切替スイッチＳＷ３の緑色のＬＥＤランプＬｇが点灯する（図６（ｃ））。上記図３は、この時点の操作履歴テーブル６の内容を示したものである。
【００２７】
次に、操作者が、入力切替スイッチＳＷ６を押下したとすると、操作履歴テーブル６の現在の入力源７に＃６が上書きして記憶され、入力切替スイッチＳＷ６の青色のＬＥＤランプＬｂが点灯すると共に、入力切替スイッチＳＷ６近傍の接続端子Ｔ６に接続された映像入力ケーブルからの入力ｖ６（コンポジット入力）が映像処理回路５に接続される。操作履歴テーブル６の１つ前の操作時の入力源８には＃２が上書きして記憶されるので、入力切替スイッチＳＷ２の黄色のＬＥＤランプＬｙが点灯し、２つ前の操作時の入力源９には＃５が上書きして記憶されるので、入力切替スイッチＳＷ５の緑色のＬＥＤランプＬｇが点灯する（図６（ｄ））。
【００２８】
このように、２つ前の操作までの選択した入力源（入力切替スイッチＳＷ１〜ＳＷ６）が、操作者に容易に把握できるので、入力源を遡って切替える場合に、操作を間違える虞がない。例えば、図６（ｃ）に示す操作状態（パソコンからのアナログ入力映像が投射される状態）の時に、入力源を１つ前の状態（Ｓ端子入力映像が投射される状態）に戻したい場合には、黄色のＬＥＤランプＬｙが点灯している入力切替スイッチＳＷ５を押下すればよく、２つ前の状態（ＨＤＭＩ入力映像が投射される状態）に戻したい場合には、緑色のＬＥＤランプＬｇが点灯している入力切替スイッチＳＷ３を押下すればよい。また、この時、黄色のＬＥＤランプＬｙ又は緑色のＬＥＤランプＬｇが点滅に変わっていれば、接続端子Ｔ５又は接続端子Ｔ３に映像信号入力が到来していないことが分かるので、入力源の切替えを控えることができる。
【００２９】
本実施形態では、各入力切替スイッチＳＷ１〜ＳＷ６の操作面に備えた３個のＬＥＤランプＬｂ、Ｌｙ、Ｌｇの発光色を異ならせることによって、操作者にとって操作履歴の把握が容易で正確に行えるようになっているが、ＬＥＤランプの発光色は同一であっても、次の構成とすることにより、操作履歴を容易に把握することができる。つまり、図７に示すように、各入力切替スイッチＳＷ１〜ＳＷ６の操作面上のＬＥＤランプＬの側傍に印刷等により数字ｆを付すことにより、入力切替スイッチＳＷ１〜ＳＷ６上の表示に基づいて操作履歴を容易に判別できる。また、ＬＥＤランプＬを大きいサイズにすると共に、そのＬＥＤランプＬの表面に直接数字を付すようにしてもよい。
【００３０】
さらに、図８に示すように、ＬＥＤランプに代えて数字表示式の液晶パネルＬｃｄを各入力切替スイッチＳＷ１〜ＳＷ６の操作面上に設けてもよい。７セグメント表示による液晶パネルＬｃｄであれば、０から９までの数字を容易に表示できるので、例えば、現在の入力源に相当する入力切替スイッチＳＷ１〜ＳＷ６の液晶パネル表示を０とし、過去に操作された入力切替スイッチＳＷ１〜ＳＷ６の液晶パネル表示を、操作履歴順に１から大きい数字にする（昇順）ことができる。また、最大の数字を決めておき（例えば、５）、現在の入力源に相当する入力切替スイッチＳＷ１〜ＳＷ６にはその最大数が表示され、過去に操作された入力切替スイッチＳＷ１〜ＳＷ６については、操作履歴に従って順に小さい数字となる（降順）ようにしてもよい。このように、ＬＥＤランプに代えて数字表示式の液晶パネルＬｃｄを設ける場合には、操作履歴を表示できる個数を容易に増加できる（例えば、３回、４回前の操作時の入力源まで表示できる）。従って、接続端子数がさらに増加した場合に有利である。
【図面の簡単な説明】
【００３１】
【図１】本発明の一実施形態に係るプロジェクタの外観を示す斜視図。
【図２】同プロジェクタの入力切替スイッチ部分の電気的構成について示す図。
【図３】同制御部内の操作履歴テーブルを示す図。
【図４】同ＬＥＤランプの点灯手順を示すフローチャート。
【図５】同ＬＥＤランプの点灯態様を変更する手順を示すフローチャート。
【図６】入力切替スイッチの操作順と各入力切替スイッチ上のＬＥＤランプの点灯順を示す説明図。
【図７】入力切替スイッチの操作面上のＬＥＤランプと側傍に付された数字を示す図。
【図８】入力切替スイッチの操作面上の液晶パネルを示す図。
【符号の説明】
【００３２】
１  プロジェクタ
４  制御部（更新手段、点灯制御手段、点灯態様制御手段）
５  映像処理回路
６  操作履歴テーブル
Ｔ１〜Ｔ６  接続端子
ＳＷ１〜ＳＷ６  入力切替スイッチ
Ｌ、Ｌｂ、Ｌｙ、Ｌｇ  ＬＥＤランプ
Ｌｃｄ  液晶パネル
ｖ１〜ｖ６  映像信号入力
ｆ  数字
【図１】
2006259453.tif 000003
【図２】
2006259453.tif 000004
【図３】
2006259453.tif 000005
【図４】
2006259453.tif 000006
【図５】
2006259453.tif 000007
【図６】
2006259453.tif 000008
【図７】
2006259453.tif 000009
【図８】
2006259453.tif 000010